(57)【特許請求の範囲】
【請求項１】
先端側に内向きの突起を有する可撓性のロックアームを備え、該ロックアームに、該ロックアームの付け根側から治具棒挿入可能な溝が形成され、該溝が底側に、該付け根側から該ロックアームの長手方向中間部まで形成された緩勾配の長い傾斜面と、該長い傾斜面に続き、該突起の係止面の先端に向けて傾斜して形成された急勾配の短い傾斜面とを有し、該短い傾斜面が短い真直面を介して該係止面に続いたことを特徴とするロックアーム付き収容体。
【請求項２】
前記ロックアームの両側に一対のスライド係合部が配設され、該ロックアームが、該一対のスライド係合部を連結する可撓性の支持壁と、該支持壁から突設されたロックアーム主体部とを含み、該支持壁に前記溝が設けられたことを特徴とする請求項１記載のロックアーム付き収容体。
【請求項３】
前記溝の幅が前記ロックアームの前記突起の幅に近似する程度に幅広に設定されたことを特徴とする請求項１又は２記載のロックアーム付き収容体。
【請求項４】
前記収容体がコネクタハウジングであり、前記ロックアームの前記突起を係合させる係止縁部とロックアーム撓み空間とを有するブラケットに対向して該コネクタハウジングが配置され、該ロックアームの付根側から前記溝に沿って該係止縁部と該突起との間に治具棒を差し込み可能であることを特徴とする請求項１〜３の何れかに記載のロックアーム付き収容体。
【発明の詳細な説明】
【技術分野】
【０００１】
本発明は、ロックアームの付け根側から治具棒を挿入してロックアームによる係止ロックを解除可能としたロックアーム付き収容体に関するものである。
【背景技術】
【０００２】
図６（ａ）（ｂ）は、従来のロックアーム付き収容体の一形態を示すものである。
【０００３】
このロックアーム付き収容体は、電気接続箱の合成樹脂製の上カバー５１と下カバー５２とで成る電気接続箱本体であり、上カバー５１と下カバー５２のロックを金属製の治具棒５６で解除可能としたものである。図６（ａ）の如く、ロックは、下カバー５２の外壁と同一面に形成された可撓性のロックアーム５３と、上カバー５１の外壁内面の段部５７との係合で行われる。
【０００４】
ロックアーム５３は先端側の突起５８と、突起５８の係止面５８ａに続く傾斜状のリブ５４とを有する。ロックアーム５３と上カバー５１の外壁内面との間には治具棒挿通用の隙間５５が下カバー５２の底壁側から上向きに設けられ、隙間５５内にリブ５４が位置し、突起５８の係止面５８ａが段部５７に当接する。
【０００５】
図６（ｂ）の如く、隙間５５内に上向きに治具棒５６が挿入され、治具棒５６の先端がリブ５４に乗り上げつつロックアーム５３を内向きに撓ませることで、突起５８と段部５７との係合が解除される。この状態で治具棒５６を押さえつつ、両カバー５１，５２を上下方向に引くことで、両カバー５１，５２が分離される。
【０００６】
ロックは両カバー５１，５２の複数箇所に配置され、各ロックが各治具棒５６で同時にロック解除される。上カバー５１の上部にはヒューズやリレー等の電気部品（図示せず）が装着され、電気部品に端子接続された各電線（図示せず）が下カバー５２を経て外部に導出される。
【０００７】
図７は、従来のロックアーム付き収容体の他の形態を示すものである。
【０００８】
このロックアーム付き収容体は、コネクタのコネクタハウジング６１であり、コネクタハウジング６１の可撓性のロックアーム６２と外部のスルーブラケット２’の孔部２２とのロックを金属製の治具棒６５で解除可能としたものである。ロックアーム６２は合成樹脂製のコネクタハウジング６１の外壁側に一体に設けられ、外壁面との間に先端側の突起６６を有する。
【０００９】
図８にも示す如く、ブラケット２’は、基板部１９に設けられたガイドレール２０と、ガイドレール２０の厚み方向中間のスリット２１に連通した上側の孔部２２と下側の溝部２６とを有するものである。上側の板部２３の前端と孔部２２との間の縁部２４の内面にロックアーム６２（図７）が接し、ロックアーム６２の先端側の突起６６が孔部２２に係合する。ロックアームは下側の溝部２６内で下向きに撓み自在である。ブラケット２’は例えば車両ボディ等に設けられる。上下等の方向性は説明の便宜上のものであり、必ずしもコネクタ６１の取付方向と一致するとは限らない。
【００１０】
図７の如く、ロックアーム６２の両側には縦断面Ｌ字状の一対のスライド係合リブ６７が同一面上に設けられ、スライド係合リブ６７がガイドレール２０（図８）の上板部２３に係合しつつ、ロックアーム６２が下向きに撓んで縁部２４を乗り越え、上向きに復元して孔部２２に突起６６が係合する。
【００１１】
その状態から治具棒６５を後方すなわちコネクタ１の端子収容部６８側からガイドレール２０に沿って差し込んで、ロックアーム６２の突起６６を治具棒６５の先端で押し下げてロックアーム６２を下向きに撓ませて突起６６と縁部２４との係合を解除し、コネクタ１を前方すなわちコネクタ嵌合室６９側に引いてブラケット２’から離脱させる。
【００１２】
本例のコネクタ６１は電線付きの複数の雄端子（図示せず）を収容したもので、端子収容部６８内に雄端子の電線接続部側が収容され、コネクタ嵌合室６９内に雄端子の電気接触用のタブないしピンが突出する。コネクタ嵌合室６９に相手側の雌端子を有するコネクタ（図示せず）が嵌合する。
【先行技術文献】
【特許文献】
【００１３】
【特許文献１】特開平９−２８０１８号公報（図１，図５）
【発明の概要】
【発明が解決しようとする課題】
【００１４】
しかしながら、上記従来の図６のロックアーム付き収容体にあっては、ロックアーム５３のリブ５４によってロックアーム５３と外壁との間の隙間５５が大きくなるために、ロック構造が肥大化し、上カバー５１内のロック周りのスペースが無駄になるという問題があった。また、図６（ｂ）において治具棒５６が下向きに抜けやすいために、治具棒５６を抜けないように上向きに押し付けつつ、下カバー５２を下向きに上カバー５１から離脱させる際に両手を用いなければならず、作業性が悪いという問題があった。
【００１５】
また、図７のロックアーム付き収容体にあっては、例えばブラケット２’の形状等によって治具棒６５の挿入側（ロックアーム６２の先端側すなわち突起６６側）の開口７０が塞がれた場合に、ロックを解除することができず、無理にコネクタ６１を引っ張ってロックを壊し兼ねないという問題があった。
【００１６】
本発明は、上記した点に鑑み、コネクタハウジング等の収容体のロックアームの先端側が塞がれた場合でも、治具棒を挿入してスムーズ且つ確実にロック解除することができると共に、収容体のロック構造をコンパクト化・省スペース化することができ、それに加えて、ロック解除時の治具棒の抜け出しを防いで、収容体の離脱操作を作業性良く確実に行うことができるロックアーム付き収容体を提供することを目的とする。
【課題を解決するための手段】
【００１７】
上記目的を達成するために、本発明の請求項１に係るロックアーム付き収容体は、先端側に内向きの突起を有する可撓性のロックアームを備え、該ロックアームに、該ロックアームの付け根側から治具棒挿入可能な溝が形成され、該溝が底側に、該付け根側から該ロックアームの長手方向中間部まで形成された緩勾配の長い傾斜面と、該長い傾斜面に続き、該突起の係止面の先端に向けて傾斜して形成された急勾配の短い傾斜面とを有し、該短い傾斜面が短い真直面を介して該係止面に続いたことを特徴とする。
【００１８】
上記構成により、ロックアームのロック状態でロックアームの付け根側から溝内に治具棒を挿入することで、溝の緩勾配の長い傾斜面に沿って治具棒が進入しつつロックアームをロック解除方向に一次的に撓ませ、次いで治具棒の先端が急勾配の短い傾斜面に沿って進入しつつロックアームをロック解除方向に二次的に撓ませる。これによりロックアームのロックが解除される。
【００１９】
請求項２に係るロックアーム付き収容体は、請求項１記載のロックアーム付き収容体において、前記ロックアームの両側に一対のスライド係合部が配設され、該ロックアームが、該一対のスライド係合部を連結する可撓性の支持壁と、該支持壁から突設されたロックアーム主体部とを含み、該支持壁に前記溝が設けられたことを特徴とする。
【００２０】
上記構成により、支持壁がロックアームの一部を成し、治具棒挿入時に支持壁がロックアーム主体部と同方向に且つロックアーム主体部よりも小さく撓み、ロックアーム主体部を補助する。ロックアーム主体が短くても支持壁が一体に撓むことで、ロックアーム主体部のへたりが防止される。支持壁の溝に沿ってロックアームの付け根側から治具棒が挿入可能となる。一対のスライド係合部は組付相手側（ブラケット）のガイドレールにスライド係合可能である。
【００２１】
請求項３に係るロックアーム付き収容体は、請求項１又は２記載のロックアーム付き収容体において、前記溝の幅が前記ロックアームの前記突起の幅に近似する程度に幅広に設定されたことを特徴とする。
【００２２】
上記構成により、既存の幅広の治具棒を使用可能で、収容体として小さなコネクタ等を用いた場合における治具棒の撓みが防止され、治具棒が確実にロックアームをロック解除方向に撓ませる。幅広の治具棒はロックアームの突起を確実に捕らえる。幅広で薄型の治具棒により、ロックアームの溝の浅いコンパクトなロック構造に対応できる。
【００２３】
請求項４に係るロックアーム付き収容体は、請求項１〜３の何れかに記載のロックアーム付き収容体において、前記収容体がコネクタハウジングであり、前記ロックアームの前記突起を係合させる係止縁部とロックアーム撓み空間とを有するブラケットに対向して該コネクタハウジングが配置され、該ロックアームの付根側から前記溝に沿って該係止縁部と該突起との間に治具棒を差し込み可能であることを特徴とする。
【００２４】
上記構成により、治具棒がロックアームの突起と係止縁部との間に進入して突起と係止縁部とを確実に離間させる。治具棒はロックアームの復元力で突起と係止縁部との間に挟まれて保持される。この状態でコネクタハウジングを離脱方向にスライドさせることで、治具棒がコネクタハウジングと一体的にブラケットから抜き出される。治具棒は先端に傾斜面を有していることが好ましい。
【発明の効果】
【００２５】
請求項１記載の発明によれば、ロックアームの付け根側から治具棒挿入可能な溝を設けたことで、ロックアームの先端側から治具棒を挿入できない場合でも、治具棒をロックアームの付け根側から挿入してロック解除することができる。しかも、溝内の緩勾配の傾斜面と急勾配の傾斜面とに沿って順に治具棒を挿入して二段式にロックアームを大きなストロークで確実に撓ませるようにしたことで、ロック解除をスムーズ且つ確実に行わせることができる。また、溝内に緩勾配の傾斜面を設けたことで、治具棒の挿入スペースを省スペース化して、収容体側のロック構造をコンパクト化することができる。
【００２６】
請求項２記載の発明によれば、支持壁で治具棒挿入時におけるロックアーム主体部の復元力や耐久性が高められ、しかも、撓みの少ない支持壁に沿って治具棒を傾きなく真直に差し込むことで、ロックアームをロック解除方向に確実に撓ませることができる。
【００２７】
請求項３記載の発明によれば、幅広で薄型の治具棒を用いて治具棒の撓みを防いでロックアームをロック解除方向に確実に撓ませることができると共に、ロックアームの溝を浅くしてロック構造をコンパクト化することができる。
【００２８】
請求項４記載の発明によれば、治具棒がロックアームの突起とブラケット側の係止縁部との間にロックアームの復元力で挟まれて保持されることで、治具棒から手を離しても治具棒が脱落せず、ブラケットからのコネクタハウジングの抜き出し作業を効率良く行うことができる。
【図面の簡単な説明】
【００２９】
【図１】本発明に係るロックアーム付き収容体の一例としてのコネクタハウジングの一実施形態を示す正面図（円内は要部拡大図）である。
【図２】同じくコネクタハウジングを示す中央から縦断面とした斜視図である。
【図３】コネクタハウジングをブラケットに係合させた状態からロック解除する際の初期解除時の状態を示す縦断面図である。
【図４】同じくロック中間解除時の状態を示す縦断面図である。
【図５】同じくロック解除完了時の状態を示す縦断面図である。
【図６】従来のロックアーム付き収容体の一形態を示す、（ａ）はロック状態の縦断面図、（ｂ）はロック解除状態の縦断面図である。
【図７】従来のロックアーム付き収容体の他の形態を示す、要部を縦断面とした側面図である。
【図８】図７におけるコネクタ係合用のブラケットの一形態を示す斜視図である。
【発明を実施するための形態】
【００３０】
図１〜図５は、本発明に係るロックアーム付き収容体の一実施形態を示すものである。
【００３１】
このロックアーム付き収容体は、図１の如く、合成樹脂製のコネクタハウジング（主体）１であり、コネクタハウジングの外壁３に沿うロックアーム４の支持壁５に、ロック解除用の治具棒６（図３）の幅に合わせた幅広Ｗの治具棒挿入（案内）用の溝７を設け、図２の如く、溝７は入口７ａ側から漸次高さを増した緩勾配の長い傾斜面７ｂを有し、支持壁５の外面と同一面にロックアーム４を後方に延長形成し、ロックアーム４は傾斜面７ｂに続く急勾配の短い傾斜面８ａと、短い傾斜面８ａに続く水平な短い真直面８ｂと、真直面８ｂに続く突起９とを有し、図３〜図５の如く、ブラケット（副体）２にコネクタハウジング１の一対のスライド係合リブ１０を係合させると共にロックアーム４を係止させた状態で、ロックアーム４の付け根側７ａから治具棒６を差し込んで、ロックアーム４をブラケット２の撓み空間１１内に撓ませてロック解除させるようにしたものである。
【００３２】
図１，２の如く、コネクタハウジング１の矩形状のコネクタ嵌合室１２が前半に位置し、コネクタ嵌合室１２の周囲のフード部１３の下側の壁部（外壁）３の内面に、相手側コネクタ（図示せず）に対する案内リブ１４が立設され、下側の壁部３の外面に左右一対の縦断面Ｌ字状のスライド係合リブ１０が対称に設けられ、一対のスライド係合リブ１０の長手方向中間部においてロックアーム４（図２）の支持壁５がスライド係合リブ１０と同一面に水平に直交して一対のスライド係合リブ１０を連結し、支持壁５の中央にロックアーム４が後向きに突出形成されている。
【００３３】
コネクタハウジング１の後半には、複数の端子収容室１５（図３）を有する端子収容部１６が位置している。端子収容部１６に複数の電線付き雄端子（図示せず）の後半部が収容され、各雄端子の前半の電気接触部がコネクタ嵌合室１２内に突出し、少なくともコネクタハウジング１と端子とでコネクタが構成される。なお、明細書で前後上下左右の方向は説明の便宜上のものであり、必ずしもコネクタ（符号１で代用）の取付方向と一致するとは限らない。
【００３４】
各スライド係合リブ１０は、下側の壁部３に直交する垂直部１０ａと、垂直部１０ａから内向きに突出した水平部１０ｂと、前端のストッパ壁１０ｃとで構成されている。支持壁５は各水平部１０ｂと同一面に設けられ、各水平部１０ｂを横断方向に連結している。支持壁５の幅（前後方向長さ）はロックアーム４の幅と同程度である。支持壁５の内面の中央に幅広の縦断面矩形状の溝７が設けられ、図２の如く溝７の底面７ｂは後上がり（前下がり）に緩く傾斜している。
【００３５】
図１の円内の拡大図の如く、溝７の幅Ｗは既存の治具棒６（図３）の幅と同程度（厳密には若干広く）に広く設定されている。溝７の幅Ｗはロックアーム４の突起９の幅に近似している。鎖線の如く溝７’を幅狭Ｗ1に形成する場合は、治具棒６を細幅に形成する必要がある。治具棒６は金属材で形成されるが、ロック解除時にロックアーム４の弾性に負けて撓まないように、幅広であることが好ましい。
【００３６】
図１の如く、支持壁５の上側にはブラケット２（図３）を挿通させるための隙間１７が設けられ、隙間１７の幅方向中央にロックアーム４の突起９が上向きに配置されている。溝７と突起９とはブラケット挿通方向の同一線上に配置されている。本例の突起９の幅は溝７の幅よりも少し大きく形成されている。ブラケット挿通用の隙間１７の下側で支持壁５の前側に治具棒挿入用のスペース１８（図２）が位置し、スペース１８は溝７に続いている。
【００３７】
図２の如く、溝７はロックアーム４の急勾配の短い傾斜面８ａに続き、傾斜面８ａは短い水平面８ｂに続き、水平面８ｂは突起９に交差して続いている。水平面８ｂは支持壁５の溝７のない左右両側部分の上面５ａと略同一面に位置している。ロックアーム４は支持壁５の後端から急勾配の傾斜面８ａと水平面８ｂと突起９との長さ分だけ後方に突出している。突起９は、垂直よりも若干前向きに傾斜した係止面９ａと、係止面９ａに交差する短い頂面９ｂと、頂面９ｂに続く前側の傾斜面９ｃとを有している。左右一対のスライド係合リブ１０は支持壁５の前端よりも前方に延長され、且つ突起９よりも後方に延長されている。
【００３８】
図３の如く、ブラケット２は、水平な基板部１９と、基板部１９の上面に設けられたガイドレール２０（図８参照）とを有している。図８の例と同様に、ガイドレール２０は、前端から厚み方向中央の水平なスリット２１を有し、スリット２１に連通した矩形状の孔部２２と、スリット２１の上側の板部２３の前端から孔部２２までの間の係止縁部２４と、スリット２１の下側の板部２５の前端から孔部２２まで設けられた溝部２６と、孔部２２の内側ほぼ中央に形成されて基板部１９に一体に続く中間の段部２７と、孔部２２の後端の段部２８とを有したものである。
【００３９】
コネクタハウジング１をブラケット２に後向きにスライド嵌合させた状態で、後端の段部２８の垂直壁２８ａがコネクタハウジング１の後端に近接して、ロックアーム４の後方の空間２９を外部から遮断して塞ぐ。従来の図７の例に較べて例えばコネクタハウジング１の端子収容部１６の長さが長い場合や、ガイドレール２０の孔部２２が長く、後端の段部２８が後方に遠く離れて配置されているような場合に、図３の状態となる。
【００４０】
このため、ロックアーム解除用の治具棒２を従来（図７）のように後方から挿入することができず、図３のように治具棒２はコネクタハウジング１の前方から、すなわちロックアーム４の付け根７ａ側から挿入される。なお、付け根７ａの位置は支持壁５の後端を示しているが、実際には支持壁５から突出したロックアーム４の付け根は急勾配の傾斜面８ａの下端位置となる。
【００４１】
中間の段部２７の垂直壁２７ａはロックアーム４の先端４ａよりも少し後方に位置し、段部２７から基板部１９の上面（底面）にかけてロックアーム撓み空間１１が構成されている。撓み空間１１の深さＨ（図５）すなわち係止縁部２４の下面から基板部１９の上面までの垂直距離はロックアーム４の撓み代と治具棒６の厚みＴ（図５）との総和よりも大きく設定される。
【００４２】
図３において、ガイドレール２０（図８）のスリット２１よりも上側の板部２３（図８）の幅方向両端部分が一対のスライド係合リブ１０の内側の水平溝内にスライド係合し、ロックアーム４がガイドレール２０のスリット２１内に挿入されて係止縁部２４の下面に沿って位置し、突起９が係止縁部２４の後方の孔部２２に係合し、突起９の係止面９ａが係止縁部２４の後端面に当接している。
【００４３】
その状態から治具棒６が前方から支持壁５の溝７内に挿入され、溝７の傾斜面７ｂに沿って進入する。支持壁５は一対のスライド係合リブ１０の間に張り渡され、且つロックアーム４の幅と同程度に細幅に形成されているので、支持壁５とスライド係合リブ１０との交差部を支点にロックアーム４と一体に撓み可能である（ロックアーム４が撓んだ際に支持壁５はロックアーム４よりも小さく撓む）。ロックアーム４の突出長さは支持壁５の幅（前後方向長さ）と同程度に短く設定されている。支持壁５はロックアーム４の一部として作用する。本例のロックアーム４は支持壁５から一体に突設されたロックアーム主体部と呼称してもよい（支持壁５はロックアーム副体部と呼称することもできる）。
【００４４】
そのため、図３において治具棒６が支持壁５の溝７とガイドレール２０の係止縁部２４との間に水平に差し込まれた際に、治具棒６の先端部が溝７の傾斜面７ｂに沿って摺接しつつ支持壁５と一体にロックアーム４を下向きに押し下げて撓ませる。
【００４５】
支持壁５に緩勾配の傾斜面７ｂを有する溝７を設けたことで、従来（図６）のロックアーム５３の傾斜状のリブ５４に較べてロックアーム４の急勾配の傾斜面８ａの高さを低くすることができ、それにより、従来（図６）のロックアーム５３の治具棒挿入隙間５５よりも、係止縁部２４とロックアーム４との間の治具棒挿入隙間（溝７）を狭く設定して、ロック構造がコンパクト化されている。
【００４６】
さらに、図４の如く、治具棒６の先端に設けた下向きの傾斜面６ａがロックアーム４の急勾配の傾斜面８ａに摺接することで、ロックアーム４をさらに下向きに押し下げて撓ませ、治具棒６の傾斜面６ａの上端の鋭利な先端６ｂがロックアーム４の突起９の係止面９ａの上側（上端）に位置する。
【００４７】
さらに、図５の如く、治具棒６を押し込むことで、治具棒６の先端６ｂがロックアーム４の突起９を乗り越え、治具棒６の下面６ｃが突起９をさらに押し下げてロックアーム４を最大に撓ませて、確実にロック解除させる。なお、図５ではロックアーム４の下面と支持壁５の下面とを直線的に結んでいるが、実際にはロックアーム４の撓みが大きく、支持壁５の撓みが小さいので、両下面を結ぶ線は曲線的となる。
【００４８】
治具棒６の先端６ｂはロックアーム４の先端４ａのほぼ上側に位置する。ロックアーム４の撓み代はブラケット２の深さＨからほぼ治具棒６の板厚Ｔを減じた値である。治具棒６の前端には垂直なストッパ板６ｄが設けられているので、図５においてストッパ板６ｄがコネクタハウジング１の前端ないしブラケット２の前端壁３０に当接して、それ以上の治具棒６の押し込みが阻止される。
【００４９】
本例の治具棒６は、ロックアーム４とガイドレール２０の係止縁部２４との間に挿入される先端側の薄板部６ｅと、係止縁部２４の前方に位置する厚板部６ｆとで成り、薄板部６ｅは上面側の段部を経て厚板部６ｆに続き、治具棒６の下面は同一面で段差なく続いている。薄板部６ｅの先端に下向きの傾斜面６ａが形成され、図４の如く傾斜面６ａの傾斜角度はロックアーム４の急勾配の傾斜面８ａの傾斜角度にほぼ等しい。治具棒６の傾斜面６ａがロックアーム４の傾斜面８ａに押接した際に、治具棒６の先端６ｂがロックアーム４の突起９の上端９ｂに位置する。
【００５０】
図３において治具棒６の薄板部６ｅが、鋭利な先端６ｂと、先端６ｂに続く下向きの傾斜面６ａとでロックアーム４と係止縁部２４との間にスムーズに且つ水平に押し込まれることで、ロックアーム４が支持壁５の傾斜面７ｂと共に押し下げられて下向きに撓む。図４においても治具棒６は水平に挿入されることがロックアーム４を大きく撓ませる上で好ましい。
【００５１】
図５の治具棒６の押し込み状態で、治具棒６はロックアーム４と係止縁部２４との間に完全に挟まれて保持される。治具棒６はロックアーム４の復元力で係止縁部２４に押し付けられる。このため治具棒６が抜け出すことがないから、作業者は治具棒６を抜け防止のために手で押さえる必要がなく、図５の状態でコネクタ１を片手で前方に引っ張ることで、コネクタ１が治具棒６と共にブラケット２から作業性良く抜き出される。図５において治具棒６の先端６ｂが係止縁部２４よりも後方に長く突出して位置するから、コネクタ１の抜き出し時に治具棒６の先端部がロックアーム４と係止縁部２４との不意な係合を確実に阻止する。
【００５２】
なお、上記実施形態においては、支持壁５に短いロックアーム４を突設したが、支持壁５に長めのロックアーム（４）を突設した場合は、支持壁５の傾斜状の溝７をロックアーム（４）まで一体に延長し、ロックアーム（４）の溝７の緩勾配の傾斜面７ｂをロックアーム（４）の突起９寄りの急勾配の傾斜面８ａに連続させてもよい。
【００５３】
また、一対のスライド係合リブ１０とロックアーム４とを遠く離間させて別体に設け、あるいは異なる方向に設け、ロックアーム４をコネクタハウジング１の外壁３に沿う二重壁（図示せず）に略コの字状のスリット（図示せず）を介して一体に設けた場合等においても、上記ロック解除構造を適用可能である。この場合、ロックアーム４の長手方向に緩勾配の傾斜面７ｂと急勾配の傾斜面８ａと突起９とが順次設けられ、ブラケット２（図８）にロックアーム４を挿入する厚み方向中間のスリット２１と、スリット２１に連通する係止用の孔部２２が設けられる。
【００５４】
また、ロックアームを二重壁（図示せず）に形成するのではなく、コネクタハウジング１の外壁３に直交する支持部（図示せず）を介して外壁３と平行に側方視略Ｌ字状に形成した場合は、支持部を幅広に形成し、支持部に治具棒挿通孔を設けることも可能である。
【００５５】
また、上記実施形態においては、雄端子を収容するコネクタ（コネクタハウジング）１を収容体（主体）としたが、雌端子を収容するコネクタ（図示せず）を収容体（主体）として用いることも可能である。この場合、コネクタハウジング（図示せず）には後端から前端にかけて複数の端子収容室が設けられ、コネクタハウジングの一外壁にスライド係合リブ１０やロックアーム４等が設けられる。
【００５６】
また、上記実施形態においては、コネクタ（コネクタハウジング）１を収容体（主体）としたが、収容体（主体）としてコネクタ１に代えて例えばワイヤハーネス挿通保護用の合成樹脂製の矩形樋状のプロテクタ（図示せず）を用い、プロテクタの外壁に一対のスライド係合リブ１０とその間の支持壁５とロックアーム４とを設け、副体のブラケット２にスライド係合させることも可能である。
【００５７】
また、副体としてブラケット２に代えて例えば合成樹脂製の電気接続箱本体（図示せず）を用い、電気接続箱本体にブラケット２におけると同様のガイドレール２０を設け、ガイドレール２０に主体としてのコネクタ１やプロテクタ等をスライド係合させることも可能である。また、収容体（主体）として一方の電気接続箱本体（図示せず）、副体として他方の電気接続箱本体（図示せず）をそれぞれ用い、一方の電気接続箱本体に設けたスライド係合リブ１０やロックアーム４等を、他方の一方の電気接続箱本体に設けたガイドレール２０にスライド係合させて、分割式の電気接続箱を構成することも可能である。
【産業上の利用可能性】
【００５８】
本発明に係るロックアーム付き収容体は、例えばコネクタとブラケットとのロック解除や、プロテクタとブラケットとのロック解除等において、ロックアームの先端側からロック解除用の治具棒を差し込めない場合に適用することができる。
【符号の説明】
【００５９】
１    コネクタハウジング（収容体）
２    ブラケット
４    ロックアーム（ロックアーム主体部）
４ａ  先端
５    支持壁
６    治具棒
７    溝
７ｂ  緩勾配の長い傾斜面
８ａ  急勾配の短い傾斜面
９    突起
１０  スライド係合部
１１  ロックアーム撓み空間
２４  係止縁部
Ｗ    幅
【図１】
0005550766.tif 000002
【図２】
0005550766.tif 000003
【図３】
0005550766.tif 000004
【図４】
0005550766.tif 000005
【図５】
0005550766.tif 000006
【図６】
0005550766.tif 000007
【図７】
0005550766.tif 000008
【図８】
0005550766.tif 000009